(57)【特許請求の範囲】
【請求項１】
秤本体にワンタッチで着脱できる風防装置であって、
秤量皿の周囲の通気を防御する風防空間を形成する部材と、
前記秤本体に装着され、前記風防空間を形成する部材を支えるベースフレームと、
を備え、
前記風防空間を形成する部材が、
前方側の透明な前面パネルと、
左右の透明な側面パネルと、
後方側の後面パネルと、
前記後面パネルの右側の側縁を挿入する挿入溝が形成された右側板フレームと、
前記後面パネルの左側の側縁を挿入する挿入溝が形成された左側板フレームと、
を有し、
前記側面パネルは、回転輪ガイドレールで案内される回転輪が上端側に設けられた少なくとも二枚の分割側面パネルにより構成され、
前記ベースフレームが、
前記前面パネルの下側の側縁を挿入する挿入溝が形成された前方フレームと、
前記回転輪の回転に伴って移動する前記分割側面パネルの下端を誘導するために移動方向に沿って間欠的に配置された誘導突起を備える左右の側方フレームと、
前記後面パネルの下側の側縁を挿入する挿入溝が形成され、前記秤本体の係合部とワンタッチで着脱できるワンタッチ係合手段が固定され、且つ、前記右側板フレーム及び左側板フレームの下端が結合される後方フレームと、
を有し、
前記前方フレームが前記左右の側方フレームの前端に位置し、前記後方フレームが前記左右の側方フレームの後端よりも前方に位置するように、前記前方フレームと前記側方フレームと前記後方フレームとが一体化されている、
ことを特徴とする風防装置。
【請求項２】
請求項１に記載の風防装置であって、前記前方フレームは、秤本体に固定されたシールド板の前方側の立上り縁に形成された係合部との係合手段を有し、前記側方フレームは、秤本体の筐体の外周に係合する垂下片を有し、前記後方フレームに固定された前記ワンタッチ係合手段は、前記シールド板の後方側の立上り縁に形成された係合部と係合する、ことを特徴とする風防装置。
【請求項３】
請求項１に記載の風防装置であって、前記分割側面パネルは、後方側の縁が前記後面パネルよりも後方となる全開位置に、互いに重なり合った状態で移動可能である、ことを特徴とする風防装置。
【請求項４】
請求項３に記載の風防装置であって、前記分割側面パネルは、前記全開位置からさらに後方に移動することがストッパで制限されており、前記ストッパを解除すれば、前記分割側面パネルを後方に移動させて取外すことが可能である、ことを特徴とする風防装置。
【請求項５】
請求項４に記載の風防装置であって、前記右側板フレーム及び左側板フレームは、後端側の縁に凹部を有し、前記凹部に臨む前記分割側面パネルの部分を把持して前記分割側面パネルを取外すことが可能である、ことを特徴とする風防装置。
【請求項６】
請求項１から５のいずれかに記載の風防装置であって、さらに、前記風防空間を形成する透明な上面パネルを備え、前記上面パネルは、並列する複数の分割上面パネルと、前記分割上面パネルの各々の両端が挿入される上面パネル枠体とから成り、前記分割上面パネルの少なくとも一枚は前記上面パネル枠体の内部で移動が可能であることを特徴とする風防装置。
【請求項７】
請求項６に記載の風防装置であって、前記上面パネル枠体は、前記分割上面パネルの出入が可能な枠切欠部を上側に有することを特徴とする風防装置。
【請求項８】
請求項６又は７に記載の風防装置であって、さらに、前記後方フレームの上方位置で前記右側板フレーム及び左側板フレームの上端に結合される上方フレームと、前記左右の側方フレームの上方位置で該側方フレームと並行するように前記上方フレームの両端に一体化された左右のガイド形成部材と、前記ガイド形成部材を覆うように該ガイド形成部材に組み合わされて前記回転輪ガイドレールと前記上面パネル枠体の支持部とを形成するガイド部材カバーと、を備え、
前記後面パネルの上側の側縁が、前記上方フレームに形成された挿入溝に挿入され、
前記前面パネルの上端が、前記ガイド形成部材の前端と、該前端を覆う前記ガイド部材カバーとの間で挟持される、
ことを特徴とする風防装置。
【請求項９】
請求項８に記載の風防装置であって、前記分割側面パネルが全開位置からさらに後方に移動することを制限し、又は、その制限を解除するストッパが、前記ガイド部材カバーの後端に設けられている、ことを特徴とする風防装置。
【請求項１０】
請求項８に記載の風防装置であって、出荷時に、前記前面パネルと、前記後面パネルと、前記分割側面パネルと、前記上面パネルと、前記右側板フレームと、前記左側板フレームと、前記ガイド形成部材が一体化された上方フレームと、前記ガイド部材カバーと、前記ベースフレームと、に分解されて発送されることを特徴とする風防装置。
【発明の詳細な説明】
【技術分野】
【０００１】
本発明は、秤の風防装置に関し、秤本体への着脱や清掃が簡単であって、それを装着した秤が狭い場所にも設置できるように構成したものである。
【背景技術】
【０００２】
電子天秤などの精密な秤は、それを設置した部屋の空気が僅かに動いただけでも計量精度に影響が現われる。そのため、秤量皿を囲むように風防ケースを設置することが従来から行われている。秤量皿に試料をセットするときは、風防ケースの窓を開けて行い、計測時には窓を閉めて空気の流れを遮断する
風防ケースで囲まれた内部は試料等が飛散して汚れる場合があり、時々清掃が必要になる。
【０００３】
下記特許文献１には、秤の清掃を容易にするため、秤本体と風防ケースとがワンタッチで着脱できるように構成した風防装置が開示されている。
この風防装置は、図２２に示すように、透明の前面パネル２４、側面パネル２６及び上面パネル２５を備えており、秤本体１０上に装着された状態でも、側面パネル２６及び上面パネル２５を、把手を持って後方に移動させて開口することができる。
この風防装置２０の秤本体１０上への装着を可能にするため、秤本体１０に固定されたシールド板１２の前方の立上り縁には係合穴１２１が、また後方の立上り縁には係合穴１２２が、それぞれ形成されている。
一方、風防装置２０のベースフレーム２１の前方フレーム２２には、その内側に、係合穴１２１に係合する爪が形成され、また、図２３に示すように、風防装置２０の背面パネル２３の下端に、係合穴１２２に係合する爪２８を備えたラッチ２７が固定されている。
この装置では、側面パネル２６や上面パネル２５を開口し、そこから手を入れて秤量皿周辺や風防装置２０内面を掃除することも可能ではあるが、風防装置２０を取り外すことで掃除を楽に、且つ完璧に行うことができる。
ただ、この風防装置２０では、秤量皿に試料をセットするために側面パネル２６を開くと、風防装置２０の後方に側面パネル２６の一部が飛び出る。そのため、秤の後方に側面パネル２６の飛び出しを許容する広さが存在する場所でないと秤の設置ができない。
【０００４】
下記特許文献２には、秤後方への側面パネルの飛び出し量を少なくした風防装置が記載されている。
この風防装置は、図２４（ａ）に示すように、側面パネルが二枚の分割パネル１６、１７で構成されている。図２５、図２６に示すように、分割パネル１６の上端には、回転輪２５、２６が取り付けられ、分割パネル１７の上端には、回転輪２３、２４が取り付けられている。また、分割パネル１７にはピニオンギア２７が回転可能に軸支され、分割パネル１６にはピニオンギア２７と歯合する下方ラック２９が固定され、ピニオンギア２７と歯合する上方ラック２８がガイド枠２２に固定されている。
そのため、図２６に示すように、分割パネル１６が後方に移動すると、ピニオンギア２７を介して分割パネル１７の後方移動が始まり、図２４（ｂ）に示すように、後方区画室１０の側壁２０の位置で分割パネル１６と分割パネル１７とが重なり、風防装置が全開状態となる。
このように、全開状態でも、分割パネル１６及び分割パネル１７は風防装置の後方に飛び出さない。
また、分割パネル１６、１７の内面が汚れた場合は、分割パネル１６、１７をガイド枠２２の後方から引き抜いて洗浄することができる。
なお、この風防装置を秤本体から取り外すためには、図２４（ｂ）に示す秤量皿３や通気防御リング７を取り外した後、風防装置を上方に引き抜く必要がある。この場合、逆の手順で風防装置を再セットしたとき、秤の再調整が必須であり、作業負担が増大する。
【先行技術文献】
【特許文献】
【０００５】
【特許文献１】ＷＯ２０１４／０３４６１１
【特許文献２】特開２００６−３０１８８号公報
【発明の概要】
【発明が解決しようとする課題】
【０００６】
特許文献２に記載された風防装置では、全開状態の分割パネル１６、１７が風防装置の後方から飛び出さないため、通常の計量作業が行われている状態では、風防装置の後方に余分な空間を必要としない。
しかし、分割パネル１６、１７をガイド枠２２の後方から引き抜いて洗浄するには、風防装置の後方に少なくとも分割パネル１６、１７の幅に相当する空間が必要である。
本発明は、こうした事情を考慮して創案したものであり、後方に余分な空間を必要としない風防装置を提供することを目的としている。
【課題を解決するための手段】
【０００７】
本発明は、秤本体にワンタッチで着脱できる風防装置であって、秤量皿の周囲の通気を防御する風防空間を形成する部材と、秤本体に装着され、風防空間を形成する部材を支えるベースフレームと、を備える。風防空間を形成する部材は、前方側の透明な前面パネルと、左右の透明な側面パネルと、後方側の後面パネルと、後面パネルの右側の側縁を挿入する挿入溝が形成された右側板フレームと、後面パネルの左側の側縁を挿入する挿入溝が形成された左側板フレームと、を有し、側面パネルは、回転輪ガイドレールで案内される回転輪が上端側に設けられた少なくとも二枚の分割側面パネルにより構成される。また、ベースフレームは、前面パネルの下側の側縁を挿入する挿入溝が形成された前方フレームと、回転輪の回転に伴って移動する分割側面パネルの下端を誘導するために移動方向に沿って間欠的に配置された誘導突起を備える左右の側方フレームと、後面パネルの下側の側縁を挿入する挿入溝が形成され、秤本体の係合部とワンタッチで着脱できるワンタッチ係合手段が固定され、且つ、右側板フレーム及び左側板フレームの下端が結合される後方フレームと、を有している。そして、前方フレームが左右の側方フレームの前端に位置し、後方フレームが左右の側方フレームの後端よりも前方に位置するように、前方フレームと側方フレームと後方フレームとが一体化されていることを特徴としている。
【０００８】
この風防装置では、側面パネルが少なくとも二枚の分割側面パネルで構成されているため、全開状態でも分割側面パネルが風防装置の後方から飛び出さない。また、分割側面パネルを風防装置の後方から引き抜く操作は、風防装置を秤本体から取り外した後に行えば良いから、風防装置の後方に余分な空間を確保する必要がない。しかも、後面パネルが一枚のパネルで構成され、この後面パネルの位置を規定する後方フレームが風防装置の最後端よりも前方に配置されているため、後方フレームに固定されるワンタッチ係合手段が後方に飛び出ることもなく、風防装置の前後方向の寸法を短く設定できる。従って、この風防装置を装着した秤は、狭い場所に設置することが可能である。
【０００９】
また、本発明の風防装置では、ベースフレームの前方フレームに、秤本体に固定されたシールド板の前方側の立上り縁に形成された係合部との係合手段を設け、側方フレームに、秤本体の筐体の外周に係合する垂下片を設けている。また、後方フレームに固定されたワンタッチ係合手段は、シールド板の後方側の立上り縁に形成された係合部と係合するようにしている。
側方フレームの垂下片を秤本体の筐体に係合させることで、前方フレームの係合手段とシールド板の前方側立上り縁に形成された係合部との位置合わせや、ワンタッチ係合手段とシールド板の後方側立上り縁に形成された係合部との位置合わせが容易にできる。
【００１０】
また、本発明の風防装置では、分割側面パネルは、後方側の縁が後面パネルよりも後方となる全開位置に、互いに重なり合った状態で移動可能である。
分割側面パネルの少なくとも一部が後面パネルを越えて後方に移動可能にすることで、風防装置を大型化しなくても、全開時の広い開口が確保できる。
【００１１】
また、本発明の風防装置では、分割側面パネルは、全開位置からさらに後方に移動することがストッパで制限されており、ストッパを解除すれば、分割側面パネルを後方に移動させて取外すことができる。
分割側面パネルを掃除するときは、風防装置を秤本体から外し、ストッパを解除して分割側面パネルを風防装置から取り出す。
【００１２】
また、本発明の風防装置では、右側板フレーム及び左側板フレームの後端側の縁に凹部を設け、この凹部に臨む分割側面パネルの部分を把持して分割側面パネルを風防装置から取外すようにしている。
こうすることで、互いに重なり合った状態の分割側面パネルを一括して風防装置から取り出すことができる。
【００１３】
また、本発明の風防装置では、さらに、風防空間を形成する透明な上面パネルを備えることが望ましい。この上面パネルは、並列する複数の分割上面パネルと、分割上面パネルの各々の両端が挿入される上面パネル枠体とから成り、分割上面パネルの少なくとも一枚は上面パネル枠体の内部で移動が可能である。
分割上面パネルを上面パネル枠体内で動かして、上面パネルに開口を形成することができる。この開口から手を入れて風防装置内の掃除や、試料を変える操作などを行うことができる。
【００１４】
また、本発明の風防装置では、上面パネル枠体は、分割上面パネルの出入が可能な枠切欠部を上側に有することが望ましい。
汚れた分割上面パネルを上面パネル枠体から取り外して掃除することができる。
【００１５】
また、本発明の風防装置では、さらに、後方フレームの上方位置で右側板フレーム及び左側板フレームの上端に結合される上方フレームと、左右の側方フレームの上方位置で側方フレームと並行するように上方フレームの両端に一体化された左右のガイド形成部材と、ガイド形成部材を覆うようにガイド形成部材に組み合わされて回転輪ガイドレールと上面パネル枠体の支持部とを形成するガイド部材カバーと、を備えており、後面パネルの上側の側縁が、上方フレームに形成された挿入溝に挿入され、前面パネルの上端が、ガイド形成部材の前端と、この前端を覆うガイド部材カバーとの間で挟持される。
前面パネル及び後面パネルが安定的に支持される。
【００１６】
また、本発明の風防装置では、分割側面パネルが全開位置からさらに後方に移動することを制限し、又は、その制限を解除するストッパを、ガイド部材カバーの後端に設けている。
このストッパが、ガイド形成部材とガイド部材カバーとで形成される回転輪ガイドレールの後端を塞いだ場合に、分割側面パネルの抜き取りができなくなる。
【００１７】
また、本発明の風防装置は、出荷時に、前面パネルと、後面パネルと、分割側面パネルと、上面パネルと、右側板フレームと、左側板フレームと、ガイド形成部材が一体化された上方フレームと、ガイド部材カバーと、ベースフレームとに分解されて発送される。
そのため、コンパクトな形で風防装置を輸送することができ、輸送時の破損が回避でき、輸送コストの低減が可能になる。
【発明の効果】
【００１８】
本発明の風防装置は、秤本体への着脱や清掃が簡単であり、この風防装置を装着した秤は、狭い空間にも設置できる。
【図面の簡単な説明】
【００１９】
【図１】秤に装着された本発明の実施形態に係る風防装置の斜視図
【図２】図１の装置を別の視点から見た斜視図
【図３】図１の装置の分解図
【図４】図１の装置の分割側面パネルを示す図
【図５】図４の分割側面パネルの正面図（ａ）と上面図（ｂ）と部分拡大図（ｃ）
【図６】分割側面パネルが重なったときの正面図（ａ）と上面図（ｂ）
【図７】図１の装置の上面パネルを示す図
【図８】上面パネルの平面図（ａ）とＡ−Ａ位置断面図（ｂ）
【図９】上面パネルが開口した状態の平面図（ａ）とＢ−Ｂ位置断面図（ｂ）
【図１０】上面パネルから分割上面パネルが取り外されるときの状態を示す図
【図１１】図１の風防装置の基本骨格を示す図
【図１２】ベースフレームと側板フレームとの結合形態を示す図
【図１３】ガイド形成部材と一体化された上方フレームの上面図
【図１４】図１３の上方フレームの側面図（ａ）と裏面図（ｂ）
【図１５】ガイド形成部材とガイド部材カバーとの結合形態を裏面側から見た図
【図１６】ガイド形成部材とガイド部材カバーとの結合形態を上面側から見た図
【図１７】図１１の基本骨格の側面図
【図１８】図１７のＡ−Ａ位置の断面図（ａ）とＢ−Ｂ位置の断面図（ｂ）
【図１９】回転輪ガイドレールのストッパが開いている状態を示す図
【図２０】回転輪ガイドレールのストッパが閉じている状態を示す図
【図２１】図１の風防装置の発送時に分解して梱包される部品の一覧を示す図
【図２２】秤本体とワンタッチで着脱できる従来の風防装置を示す図
【図２３】図２２の装置の背面側を示す図
【図２４】側面パネルが二枚の分割側面パネルから成る従来の風防装置を示す図
【図２５】図２４の装置の回転輪の吊り下げ構造を示す図
【図２６】図２４の装置での分割側面パネルを連動させる機構を示す図
【発明を実施するための形態】
【００２０】
図１は、秤に装着された本発明の実施形態に係る風防装置３０の斜視図である。図２は、異なる視点からの風防装置３０の斜視図である。図３は、風防装置３０を分解して示している。
この風防装置３０は、透明な前面パネル３１と、右側及び左側の側面パネルを構成する透明な二枚の分割側面パネル３２、３３と、透明な後面パネル３６と、後端側の縁に、その一部が抉られて凹部３７１が形成されている右側及び左側の側板フレーム３７と、右側及び左側の側板フレーム３７の上端に結合される上方フレーム３９と、上方フレーム３９の両端に一体化された左右のガイド形成部材４０と、ガイド形成部材４０に組み合わされるガイド部材カバー４２と、透明な二枚の分割上面パネル４３、４４とそれらの左右の端部が嵌る上面パネル枠体４５、４６とから成る上面パネル４７と、これらを支えるベースフレーム５０とを有している。
【００２１】
透明な前面パネル３１、分割側面パネル３２、３３、後面パネル３６及び分割上面パネル４３、４４は、ガラス又はプラスチックを素材としている。
分割側面パネル３２及び分割側面パネル３３は、図４に示すように、それぞれの上端に、二つの回転輪３２１、３３１と、それを回転可能に保持する保持部材３２２、３３２とを備えている。図５は、その正面図（ａ）及び上面図（ｂ）を示し、また、図６は、分割側面パネル３２及び分割側面パネル３３が重なった状態の正面図（ａ）及び上面図（ｂ）を示している。
風防装置３０の外側に位置する分割側面パネル３２には、開閉用の把手３２４が取り付けられている。この分割側面パネル３２の保持部材３２２は、二つの回転輪３２１が外側を向くように、分割側面パネル３２の外面に固定されている。一方、分割側面パネル３３の保持部材３３２は、二つの回転輪３３１が内側を向くように、分割側面パネル３３の内面に固定されている。
【００２２】
保持部材３２２及び保持部材３３２は、図５（ｂ）に示すように、それぞれ、水平方向の両端に、回転輪が向く方向と逆方向に突出する係合部３２３、３３３を有している。係合部３２３及び係合部３３３の突出高さは、分割側面パネル３２と分割側面パネル３３とが重なっても、相互に接触しない高さに設定されているが、一方の分割側面パネル３２の保持部材３２２の後方（分割側面パネル３３側）に位置する係合部３２３には、その内側に、分割側面パネル３３の保持部材３３２の係合部３３３と係合する長さの係合片３２５が固定されている。なお、係合部３２３と、それに固定された係合片３２５との関係を図５（ｃ）に拡大して示している。
そして、この係合片３２５が、分割側面パネル３３の保持部材３３２が有する二つの係合部３３３の間に来るように、分割側面パネル３２と分割側面パネル３３とが配置されている。
【００２３】
そのため、図５の状態から分割側面パネル３２が右方向に移動しても、係合片３２５の固定された係合部３２３が、図６の位置に達するまでは、分割側面パネル３３は移動しない。図６の状態から分割側面パネル３２がさらに右方向に移動すると、係合片３２５が分割側面パネル３３の係合部３３３を押すため、分割側面パネル３３は、分割側面パネル３２と共に右方向に移動する。
逆に、図６の状態から分割側面パネル３２が左方向に移動するときは、係合片３２５の固定された係合部３２３が、図５の位置に達するまでは、分割側面パネル３３は移動しない。図５の状態から分割側面パネル３２がさらに左方向に移動すると、係合片３２５が分割側面パネル３３の係合部３３３を引っ張るため、分割側面パネル３３は、分割側面パネル３２と共に左方向に移動する。
こうした連係動作により、風防装置３０の側面を全開するとき、分割側面パネル３２及び分割側面パネル３３は、全開位置で重なり合い、図６の状態となる。また、風防装置３０の側面を封鎖するときは、図５の状態で側面を塞ぐ。
【００２４】
上面パネル４７は、図７に示すように、透明な二枚の分割上面パネル４３、４４と、それらの左右の端部が嵌る上面パネル枠体４５、４６とから成る。図８は、上面パネル４７の平面図（ａ）及びＡ−Ａ位置での断面図（ｂ）を示している。上面パネル４７は、把手４３１を持つ分割上面パネル４３１を上面パネル枠体４５、４６内で移動して開口することができる。図９は、開口した上面パネル４７の平面図（ａ）及びＢ−Ｂ位置での断面図（ｂ）を示している。
上面パネル枠体４５、４６には、分割上面パネル４３、４４の端部を嵌める溝が設けられているが、この溝は、把手を持たない分割上面パネル４４の端部が収容される位置では、把手４３１を持つ分割上面パネル４３が分割上面パネル４４の上に移動できるように、その溝幅が広く設定されている。
【００２５】
また、一方の上面パネル枠体４５の上側には、この溝の一部を切り開く切欠部４５１が設けられている。切欠部４５１の長さは、分割上面パネル４３、４４の幅を多少上回るように設定されている。上面パネル枠体４５、４６に端部が嵌っている分割上面パネル４３、４４は、この切欠部４５１から一枚ずつ取り外すことができる。図１０は、上面パネル枠体４５の切欠部４５１から分割上面パネル４３を取り外すときの状態を示している。
また、上面パネル枠体４５、４６は、上面パネル４７を支持するために使用される突条片４８を外側面に備えている。
【００２６】
ベースフレーム５０は、図３、図１１、図１２に示すように、前面パネル３１の下側の側縁を挿入する挿入溝５１１が形成された前方フレーム５１と、分割側面パネル３２、３３の下端を誘導するために移動方向に沿って間欠的に配置された誘導突起５２１を備える左右の側方フレーム５２と、後面パネル３６の下側の側縁を挿入する挿入溝５４１が形成された後方フレーム５４とで構成され、それらが一体化されている。
図１２に示すように、ベースフレーム５０は、前方フレーム５１が側方フレーム５２の前端に位置し、後方フレーム５４が側方フレーム５２の後端よりも前側に位置するように構成されている。
【００２７】
前方フレーム５１は、その内側に、風防装置３０を秤本体に装着するとき、秤本体に固定されたシールド板７０の前方側の立上り縁に設けられた係合穴７１に嵌る爪５１２（図１２）を有している。
側方フレーム５２は、風防装置３０を秤本体に装着するとき、秤本体の筐体側面に当接する垂下片５２２を有している。
また、後方フレーム５４は、その両端に、側板フレーム３７の下端の結合部３７２が固定される側板固定部５４２を有している。後面には、風防装置３０を秤本体に装着したり、取り外したりする際に、シールド板７０の後方側の立上り縁に設けられた係合穴にワンタッチで着脱できるワンタッチ係合手段（カムレバー）５４４（図２）が固定されている。
【００２８】
図１１には、後方フレーム５４の側板固定部５４２に側板フレーム３７の結合部３７２が結合された状態を示している。
図１２には、その結合方法を示している。
なお、側板フレーム３７は、下端と上端に同一形状の結合部３７２を有している。
図１２（ａ）に示すように、側板固定部５４２は、結合部３７２の底面が当接する面の中心からズレた位置に二つの係合孔５４６を有し、その面と直交する面に貫通孔５４５を有している。一方、結合部３７２は、図１２（ｂ）に示すように、側板固定部５４２との当接面に二つの突起３７３を有し、その面と直交する面にネジ孔３７４を有している。
後方フレーム５４に側板フレーム３７を固定するときは、結合部３７２の二つの突起３７３を側板固定部５４２の二つの係合孔５４６に嵌める。そうすると、側板固定部５４２の貫通孔５４５の位置と結合部３７２のネジ孔３７４の位置とが一致するので、ネジ６５を貫通孔５４５の側から挿入してネジ孔３７４に螺合し、後方フレーム５４に側板フレーム３７を固定する。
【００２９】
左右の側板フレーム３７は、後面パネル３６の左右の側縁が挿入される挿入溝３７６を有しており、左右の側板フレーム３７が後方フレーム５４に固定されると、その挿入溝３７６が後方フレーム５４の挿入溝５４１に連結する。
後方フレーム５４に固定された左右の側板フレーム３７の上端の結合部３７２には、ガイド形成部材４０が一体化された上方フレーム３９が結合される。
図１３は、左右のガイド形成部材４０が一体化された上方フレーム３９の平面図であり、図１４（ａ）は、その側面図、図１４（ｂ）は、背面図である。図１５には、下方から見た斜視図を示している。
【００３０】
上方フレーム３９は、その両端に、後方フレーム５４の側板固定部５４２に類似する側板固定部３９２を有している。側板固定部３９２は、側板フレーム３７の上端の結合部３７２に設けられた二つの突起３７３が嵌る二つの係合孔３９４と、その結合部３７２のネジ孔３７４に対向する貫通孔３９５とを有している。
側板フレーム３７と上方フレーム３９との結合方法は、側板フレーム３７と後方フレーム５４との結合方法と同じであり、結合部３７２の二つの突起３７３を側板固定部３９２の二つの係合孔３９４に嵌め、ネジを貫通孔３９５の側から挿入して結合部３７２のネジ孔３７４に螺合し、上方フレーム３９に左右の側板フレーム３７を固定する。
上方フレーム３９は、後面パネル３６の上側の側縁が挿入される挿入溝３９１を備えている。後方フレーム５４及び左右の側板フレーム３７の各挿入溝５４１、３７６に後面パネル３６の下側及び左右の側縁を嵌め込んだ後、上方フレーム３９と左右の側板フレーム３７とを結合すれば、後面パネル３６の全ての側縁が後方フレーム５４、左右の側板フレーム３７及び上方フレーム３９によって保持される。
【００３１】
ガイド部材カバー４２は、図１６に示すように、貫通孔４２２を有する固定片４２１を備えている。上方フレーム３９の側板固定部３９２と側板フレーム３７の結合部３７２とをネジで固定するとき、ガイド形成部材４０に被せたガイド部材カバー４２の貫通孔４２２の位置を上方フレーム３９の側板固定部３９２の貫通孔３９５の位置に一致させて、貫通孔４３２及び貫通孔３９５に挿入したネジの先を結合部３７２のネジ孔３７４に螺合する。
こうすることで、ガイド部材カバー４２を、側板フレーム３７に固定された上方フレーム３９及びガイド形成部材４０に結合することができる（図１５）。
【００３２】
また、ガイド形成部材４０の前端と、その前端を覆うガイド部材カバー４２との間で前面パネル３１の上端を挟持する。前面パネル３１は、下側の側縁が前面パネル３１の挿入溝５１１に嵌り、上端がガイド部材カバー４２とガイド形成部材４０とで挟持されるため、安定する。
【００３３】
ガイド形成部材４０と結合されたガイド部材カバー４２は、ガイド形成部材４０と共働して、分割側面パネル３２、３３に取付けられた回転輪３２１、３３１の回転輪ガイドレールを構成し、また、上面パネル４７の突条片４８を支持する支持部を構成する。
図１７は、図１１に示す風防骨格の側面図であるが、図１７のＡ−Ａ位置での断面図を図１８（ａ）に、また、Ｂ−Ｂ位置での断面図を図１８（ｂ）に示している。Ａ−Ａ位置は、図１５に示す、内側の分割側面パネル３３の前進を阻む制限部材４２４が設けられている位置に相当する。
ガイド部材カバー４２は、外側の分割側面パネル３２に設けられた回転輪３２１のレール部分４２５を、分割側面パネル３２の移動可能範囲の全長（即ち、ガイド部材カバー４２の前端から後端までの間）に亘って有している。
ガイド形成部材４０は、内側の分割側面パネル３３に設けられた回転輪３３１のレール部分４０２を、分割側面パネル３２の移動可能範囲（即ち、制限部材４２４の位置からガイド形成部材４０の後端までの間）に有している。
また、ガイド形成部材４０は、上面パネル４７の突条片４８を支持する支持部４０３を有し、ガイド部材カバー４２は、この支持部４０３に載る突条片４８を上から抑える抑止部４２３を有している。
【００３４】
図１９に示すように、ガイド部材カバー４２のレール部分４２５とガイド形成部材４０のレール部分４０２とで構成される回転輪ガイドレール６０は、ガイド部材カバー４２の後端まで及んでおり、ガイド部材カバー４２の後端には、回転輪ガイドレール６０からの分割側面パネル３２、３３の抜け出しを阻止するストッパ６１が設けられている。図２０は、ストッパ６１が回転輪ガイドレール６０の後端を塞いだ状態を示し、図１９は、ストッパ６１が回転輪ガイドレール６０の後端を解放した状態を示している。
【００３５】
この風袋装置３０は、製品出荷時に、図２１に示すように、前面パネル３１と、後面パネル３６と、分割側面パネル３２、３３と、上面パネル４７と、左右の側板フレーム３７と、ガイド形成部材４０が一体化された上方フレーム３９と、ガイド部材カバー４２と、ベースフレーム５０とに分解されて発送される。
製品を購入したユーザは、次の順序で風袋装置３０を組み立てる。
（１）ベースフレーム５０の左右の側板固定部５４２に左右の側板フレーム３７の結合部３７２を固定する。
（２）後方フレーム５４の溝５４１及び側板フレーム３７の溝３７６に後面パネル３６の下側及び左右の側縁を嵌める。
（３）上方フレーム３９の溝に後面パネル３６の上側の側縁を嵌め、側板フレーム３７の上側の結合部３７２の突起３７３を上方フレーム３９の係合孔３９４に嵌めて、上方フレーム３９を側板フレーム３７の上端に仮固定する。
（４）左右のガイド形成部材４０の支持部４０３に上面パネル４７の突条片４８を載せ、また、下端の縁部を前方フレーム５１の溝に嵌めた前面パネル３１の上端を、ガイド形成部材４０の先端に仮固定する。
（５）ガイド形成部材４０にガイド部材カバー４２を被せ、前面パネル３１の上端をガイド形成部材４０の先端とガイド部材カバー４２の先端被覆との間で挟持し、また、上面パネル４７の突条片４８をガイド形成部材４０の支持部４０３とガイド部材カバー４２の抑止部４２３との間で挟持する。
（６）ガイド部材カバー４２の固定片４２１の貫通孔４２２と上方フレーム３９の側板固定部３９２の貫通孔３９５とを通したネジを側板フレーム３７のネジ孔３７４に螺合してガイド部材カバー４２、上方フレーム３９及び側板フレーム３７を固定する。
（７）ガイド部材カバー４２の後端にあるストッパ６１を開いて、回転輪ガイドレール６０に、重ね合わせた分割側面パネル３２、３３の回転輪３２１、３３１を挿入し、ストッパ６１を閉じる。
【００３６】
組み立てた風防装置３０を秤本体に装着する場合は、先ず、秤本体に固定されたシールド板７０の前方側の立上り縁よりもベースフレーム５０の前方フレーム５１の方が前に来るように位置合わせし、側方フレーム５２の垂下片５２２を秤の筐体に沿わせながら風防装置３０を秤本体に載せる。
次いで、側方フレーム５２の垂下片５２２と秤の筐体との接触を保ちながら、風防装置３０を後方に動かす。風防装置３０は、前方フレーム５１の爪５１２がシールド板７０の係合穴７１に嵌った時点で動かなくなる。
その状態でワンタッチ係合手段５４４のカムレバーを下げる。この操作で、ワンタッチ係合手段５４４がシールド板７０の後方側の立上り縁に設けられた係合穴と係合し、風防装置３０が秤本体上に固定される。
このように、この風防装置３０は、ベースフレーム５０の側方フレーム５２が垂下片５２２を持つため、風防装置３０の秤本体への装着が容易である。
【００３７】
この風防装置３０は、風防空間の後面が一枚の後面パネル３６で構成されており、後面パネル３６を下支えする後方フレーム５４にワンタッチ係合手段（カムレバー）５４４が固定されている。そのため、風防装置３０の外形がコンパクトである。
また、この風袋装置３０では、二枚の分割側面パネル３２、３３を全開状態にしたとき、分割側面パネル３２、３３が重なって回転輪ガイドレール６０の後端まで移動するが、回転輪ガイドレール６０を形成するガイド形成部材４０及びガイド部材カバー４２、並びに、分割側面パネル３２、３３の下端を誘導する側方フレーム５２は、その後端が後面パネル３６の後方に延びているため、分割側面パネル３２、３３は、全開時に、その後方の縁が後面パネル３６の後方まで移動する。そのため、風袋装置３０の外形がコンパクトであっても、分割側面パネル３２、３３の全開時には、広い開口を確保することができる。
また、後方フレーム５４に固定されたワンタッチ係合手段５４４は、後方フレーム５４が側方フレーム５２の後端よりも前側に配置されているため、風袋装置３０の後方に飛び出さない。そのため、風袋装置３０の背面に余分な空間を確保する必要がない。
【００３８】
この風袋装置３０では、全開時に重なって回転輪ガイドレール６０の後端まで移動した分割側面パネル３２、３３の前側の側縁は、側板フレーム３７の前側の側縁に略一致する。側板フレーム３７は、後側の側縁の中央部が抉れた形状であるため、前後方向の幅が、中央で狭く、両端の結合部３７２付近で広くなっている。
分割側面パネル３２、３３の同方向の幅は、側板フレーム３７の結合部３７２付近の幅に近い。そのため、全開位置の分割側面パネル３２、３３の後側の側縁は、側板フレーム３７の中央部分の側縁より後方に位置している。
風袋装置３０から分割側面パネル３２、３３を取り出す場合、風袋装置３０を秤本体から取り外して行われるが、このとき、側板フレーム３７の中央部の後方側縁が抉れていると、全開位置の分割側面パネル３２、３３の側縁だけを掴んで風袋装置３０の外に取り出すことができるため、操作が容易である。
また、同様に、重ね合わせた分割側面パネル３２、３３を回転輪ガイドレール６０に挿入する場合も、その操作が容易である。
【００３９】
また、回転輪ガイドレール６０に吊り下げられた分割側面パネル３２、３３が動くとき、分割側面パネル３２、３３の下端は、ベースフレーム５０の側方フレーム５２に設けられた誘導突起５２１にガイドされて移動する。
この誘導突起５２１は、平らな側方フレーム５２の上面に、移動方向に隙間を空けて設けられている。
分割側面パネル３２、３３の下端をガイドするために溝を設けると、秤量皿からこぼれた細かな試料を掃除するとき、試料が溝に入り込み、掃除が難しいと言う欠点があるが、この誘導突起５２１は、平坦面に間欠的に設けられているため、そうした欠点を解消できる。
【００４０】
また、上面パネル４７の分割上面パネル４３、４４の内面が汚れたときは、次の手順でそれらを取り出し、清掃することができる。
先ず、把手４３１を持つ分割上面パネル４３を上面パネル枠体４５の切欠部４５１の位置に動かし、上面パネル枠体４５の溝に嵌っていた分割上面パネル４３の一方の端部を溝から脱出させる。
次いで、分割上面パネル４３を上面パネル枠体４５の斜め上方に引っ張り、上面パネル枠体４６の溝に嵌っていた他方の端部を脱出させ、分割上面パネル４３を取り出す。
次に、分割上面パネル４４を上面パネル枠体４５の切欠部４５１の位置に動かし、同様の手順で取り出す。
【００４１】
また、この風袋装置３０は、図２１に示すように、部品を分解して輸送することができるため、輸送コストの低減が可能であり、また、輸送時の破損を回避できる。
【００４２】
なお、ここでは、分割側面パネル３２，３３及び分割上面パネル４３，４４を二枚のパネルで構成しているが、三枚以上であっても良い。
また、ここでは、後面パネル３６を透明パネルとしているが、透明でなくても良い。
【産業上の利用可能性】
【００４３】
本発明の風防装置は、秤本体への着脱や清掃が簡単で、狭い空間への設置が可能であり、精密な秤を使用する各種分野で広く利用することができる。
【符号の説明】
【００４４】
３０    風防装置
３１    前面パネル
３２    分割側面パネル
３３    分割側面パネル
３６    後面パネル
３７    側板フレーム
３９    上方フレーム
４０    ガイド形成部材
４２    ガイド部材カバー
４３    分割上面パネル
４４    分割上面パネル
４５    上面パネル枠体
４６    上面パネル枠体
４７    上面パネル
４８    突条片
５０    ベースフレーム
５１    前方フレーム
５２    側方フレーム
５４    後方フレーム
６０    回転輪ガイドレール
６１    ストッパ
６５    ネジ
７０    シールド板
７１    係合穴
３２１  回転輪
３２２  保持部材
３２３  係合部
３２４  把手
３２５  係合片
３３１  回転輪
３３２  保持部材
３３３  係合部
３７１  凹部
３７２  結合部
３７３  突起
３７４  ネジ孔
３７６  挿入溝
３９２  側板固定部
３９４  係合孔
３９５  貫通孔
４０２  回転輪のレール部分
４０３  支持部
４２１  固定片
４２２  貫通孔
４２３  抑止部
４２４  制限部材
４２５  回転輪のレール部分
４３１  把手
４５１  切欠部
５１１  挿入溝
５１２  爪
５２１  誘導突起
５２２  垂下片
５４１  挿入溝
５４２  側板固定部
５４４  ワンタッチ係合手段（カムレバー）
５４５  貫通孔
５４６  係合孔
【図１】
0006691436.tif 000002
【図２】
0006691436.tif 000003
【図３】
0006691436.tif 000004
【図４】
0006691436.tif 000005
【図５】
0006691436.tif 000006
【図６】
0006691436.tif 000007
【図７】
0006691436.tif 000008
【図８】
0006691436.tif 000009
【図９】
0006691436.tif 000010
【図１０】
0006691436.tif 000011
【図１１】
0006691436.tif 000012
【図１２】
0006691436.tif 000013
【図１３】
0006691436.tif 000014
【図１４】
0006691436.tif 000015
【図１５】
0006691436.tif 000016
【図１６】
0006691436.tif 000017
【図１７】
0006691436.tif 000018
【図１８】
0006691436.tif 000019
【図１９】
0006691436.tif 000020
【図２０】
0006691436.tif 000021
【図２１】
0006691436.tif 000022
【図２２】
0006691436.tif 000023
【図２３】
0006691436.tif 000024
【図２４】
0006691436.tif 000025
【図２５】
0006691436.tif 000026
【図２６】
0006691436.tif 000027